(57)【要約】      （修正有）【課題】撓み強度が向上したプラスチック製パレットを提供する。【解決手段】上面及び下面を有する板状体２の下面に、複数の支持ブロック３が複数列に並ぶように配置形成されているパレットにおいて、前記複数の支持ブロックは、いずれも、前記下面に下方へ開口する環状体になるように凸設されており、前記複数の支持ブロックは、いずれも内表面に複数の円弧面がそれぞれ上下方向に延伸する複数の溝３１として該内表面の周方向に沿って起伏するように形成してパレットを構成する。【選択図】図１
0003162905.tif 000002
【実用新案登録請求の範囲】
【請求項１】
上面及び下面を有する板状体の下面に、複数の支持ブロックが複数列に並ぶように配置形成されているパレットにおいて、
前記複数の支持ブロックは、いずれも、下方へ開口する環状体になるように前記下面に凸設されており、
前記複数の支持ブロックは、いずれも内表面に複数の円弧面がそれぞれ上下方向に延伸する複数の溝として、該内表面の周方向に沿って起伏するように形成されていることを特徴とするパレット。
【請求項２】
前記板状体の上面に、複数の支持ブロック係止用窪みが、前記下面にある複数の支持ブロックと対応する位置に形成され、且つ、当該パレットと同じ構造を有する他のパレットが該上面に載置されると、前記他のパレットにおける前記複数の支持ブロックのそれぞれの先端部と噛み合うようになっていることを特徴とする請求項１に記載のパレット。
【請求項３】
前記板状体の上面に、前記各列に並んでいる前記複数の支持ブロック係止用窪みをその並ぶ方向に沿って連通する複数の溝が形成されており、前記板状体の下面に前記複数の溝にそれぞれ対応するリブが、前記各列に並んでいる前記複数の支持ブロックを貫通するように凸設されていることを特徴とする請求項２に記載のパレット。
【請求項４】
前記複数の支持ブロックは、３行３列に並んでいることを特徴とする請求項３の支持装置。
【請求項５】
前記複数の支持ブロックは、いずれも、外周面が、左右前後の４つの平面を有し、且つ、各平面同士の間が、曲面となった環状であることを特徴とする請求項４のパレット。
【請求項６】
前記複数の支持ブロック係止用窪みは、いずれも、上方に向かう底平面を有し、且つ、該底平面に、制限突起が、他のパレットが前記上面に載置されると、該ブロック係止用窪みと噛み合うようになる前記支持ブロックの環状開口に挿し込むことができるように凸設されていることを特徴とする請求項４に記載のパレット。
【考案の詳細な説明】
【技術分野】
【０００１】
本考案はパレットに関し、特に、強度が高められたパレットに関する。
【背景技術】
【０００２】
プラスチック製パレットは、軽量である上、着色性又は耐水性も良い。
【０００３】
図５は、従来のプラスチック製パレットの一例の下面構成が示されている斜視図である。図示のように、該従来のパレットは、荷物を載置するデッキ１１の下面に、複数列に並ぶと共に、所定間隔をおいて凸設されている複数の支持ブロック１２が配置形成されている。また、各列における支持ブロック１２同士の間にそれぞれリブ１３が凸設されている。
【０００４】
このような従来のプラスチック製パレットは、使用時に、全ての支持ブロック１２を地面又は架台などに接触させて、荷物を均一且つ安定に載置することができる。
【考案の概要】
【考案が解決しようとする課題】
【０００５】
しかしながら、このような従来のプラスチック製パレットでは、図６に示すように、複数の支持ブロック１２のうち、いくつかの支持ブロック１２が架台１０などに接触していないとき、デッキ１１が載置している荷物の重量によって撓むことがあり、折れ易い問題点がある。
【０００６】
本考案は、前記問題点に鑑みてなされたもので、撓み強度が向上したプラスチック製パレットの提供を目的とする。
【課題を解決するための手段】
【０００７】
上記目的に達成すべく、本考案は上面及び下面を有する板状体の下面に、複数の支持ブロックが複数列に並ぶように配置形成されているパレットにおいて、前記複数の支持ブロックは、いずれも、下方へ開口する環状になるように前記下面に凸設されており、前記複数の支持ブロックは、いずれも、内表面に複数の円弧面がそれぞれ上下方向に延伸する複数の溝として、該内表面の周方向に沿って起伏するように形成されていることを特徴とするパレットを提供する。
【０００８】
上記パレットにおいて、前記板状体の上面に、複数の支持ブロック係止用窪みが、前記下面にある複数の支持ブロックと対応する位置に形成され、且つ、当該パレットと同じ構造を有する他のパレットが該上面に載置されると、前記複数の支持ブロックのそれぞれの先端部と噛み合うようになっていることが好ましい。
【０００９】
上記パレットにおいて、前記板状体の上面に、前記各列に並んでいる前記複数の支持ブロック係止用窪みをその並ぶ方向に沿って連通する複数の溝が形成されており、前記板状体の下面に前記複数の溝にそれぞれ対応するリブが前記各列に並んでいる前記複数の支持ブロックを貫通するように凸設されていることが好ましい。
【００１０】
上記パレットにおいて、前記複数の支持ブロックは、３行３列に並んでいることが好ましい。
【００１１】
上記パレットにおいて、前記複数の支持ブロックは、いずれも、外周面が、左右前後の４つの平面を有し、且つ、各平面同士の間が曲面となった環状であることが好ましい。
【００１２】
上記パレットにおいて、前記複数の支持ブロック係止用窪みは、いずれも、上方に向かう底平面を有し、且つ、該底平面に、制限突起が、他のパレットが前記上面に載置されると、該ブロック係止用窪みと噛み合うようになる前記支持ブロックの環状開口に挿し込むことができるように凸設されていることが好ましい。
【考案の効果】
【００１３】
上記構成により、本考案のパレットは、各支持ブロックを環状に形成する上、内表面に複数の円弧面がそれぞれ上下方向に延伸する複数の溝として該内表面の周方向に沿って起伏するように形成されるので、各支持ブロックの撓み強度を強化することに通じてパレット全体の撓み強度を強化し、該撓み強度を向上することができる。
【図面の簡単な説明】
【００１４】
【図１】本考案のパレットの下面構成が示されている斜視図である
【図２】本考案のパレットの下面構成が示されている下面図である。
【図３】図２におけるＩＩＩ−ＩＩＩ線に沿って切った断面が示されている断面図である。
【図４】パレットの上面構成及び重なる様子が示されている斜視図である。
【図５】従来のプラスチック製パレットの一例の下面構成が示されている斜視図である。
【図６】該従来のプラスチック製パレットの使用状態が示されている説明図である。
【考案を実施するための形態】
【００１５】
以下は図１〜図４を参照しながら、本考案のパレットの好ましい実施形態について説明する。
【００１６】
図１は本考案のパレットの下面構成が示されている斜視図であり、図２は同じく下面構成が示されている下面図である。また、図３は図２におけるＩＩＩ−ＩＩＩ線に沿って切った断面が示されている断面図であり、図４はパレットの上面構成及び重なる様子が示されている斜視図である。
【００１７】
図示されているように、本考案のパレットは、上下両面を有する板状体２の下面に、複数の支持ブロック３が複数列に並ぶように配置形成されているパレットである。この実施形態において、計９つの支持ブロック３が３行３列に並んでいる。
【００１８】
図２に示されているように、左右方向に３つの支持ブロック３が一列に並んでおり、そして図２における上下方向に３列の支持ブロック３が並んでいる。
【００１９】
各支持ブロック３は、いずれも、板状体２の下面に下方へ開口する環状体になるように凸設されており、また、該環状体の内表面に、上下方向に延伸する円弧面からなる複数の溝３１と複数の面３２とが該内表面の周方向に沿って起伏するように連続している。
【００２０】
各支持ブロック３は、いずれも、外周面に左右前後の４つの平面３０を有して、且つ、各平面３０同士は曲面３３によって連続的に繋がっている。
【００２１】
また、図３、図４に示されているように、板状体２の上面に、各支持ブロック３と対応する位置に複数の支持ブロック係止用窪み２７が形成されている。また、各係止用窪み２７は、上方に向かう底平面２７１と、底平面２７１により囲まれていると共に、当該パレットと同じ構造を有する他のパレットが底平面２７１に載置されるとその他のパレットの支持ブロック３の環内に挿し込むことができるように凸設された制限突起２７２とから構成されている。
【００２２】
更に、板状体２の上面には各列に並んでいる複数の支持ブロック係止用窪み２７をその並ぶ方向に沿って連通する複数の溝５１が形成されており、そして板状体２の下面には前記複数の溝５１にそれぞれ対応するリブ５２が前記各列に並んでいる前記複数の支持ブロック３を貫通するように凸設されている。
【産業上の利用可能性】
【００２３】
上記構成により、本考案のパレットは、各支持ブロックを環状に形成する上、内表面に複数の円弧面がそれぞれ上下方向に延伸する複数の溝として該内表面の周方向に沿って起伏するように形成され、各支持ブロックの撓み強度を強化することに通じてパレット全体の撓み強度を向上することができる。
【００２４】
更に、同じ列に並んでいる各支持ブロックは、上面に対応した溝を有するリブによって繋がっているので、パレットと各支持ブロックとの一体性が高まり、パレット全体の撓み強度を更に強化することができる。
【符号の説明】
【００２５】
２  板状体
２７  支持ブロック係止用窪み
２７１  底平面
２７２  制限突起
３  支持ブロック
３０  平面
３１  溝
３２  面
３３  曲面
５１  溝
５２  リブ
【図１】
0003162905.tif 000003
【図２】
0003162905.tif 000004
【図３】
0003162905.tif 000005
【図４】
0003162905.tif 000006
【図５】
0003162905.tif 000007
【図６】
0003162905.tif 000008
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
上面及び下面を有する板状体の下面に、複数の支持ブロックが複数列に並ぶように配置形成されているパレットにおいて、
前記複数の支持ブロックは、いずれも、下方へ開口する環状体になるように前記下面に凸設されており、
前記複数の支持ブロックは、いずれも内表面に複数の円弧面がそれぞれ上下方向に延伸する複数の溝として、該内表面の周方向に沿って起伏するように形成されていることを特徴とするパレット。
【請求項２】
前記板状体の上面に、複数の支持ブロック係止用窪みが、前記下面にある複数の支持ブロックと対応する位置に形成され、且つ、当該パレットと同じ構造を有する他のパレットが該上面に載置されると、前記他のパレットにおける前記複数の支持ブロックのそれぞれの先端部と噛み合うようになっていることを特徴とする請求項１に記載のパレット。
【請求項３】
前記板状体の上面に、前記各列に並んでいる前記複数の支持ブロック係止用窪みをその並ぶ方向に沿って連通する複数の溝が形成されており、前記板状体の下面に前記複数の溝にそれぞれ対応するリブが、前記各列に並んでいる前記複数の支持ブロックを貫通するように凸設されていることを特徴とする請求項２に記載のパレット。
【請求項４】
前記複数の支持ブロックは、３行３列に並んでいることを特徴とする請求項３のパレット。
【請求項５】
前記複数の支持ブロックは、いずれも、外周面が、左右前後の４つの平面を有し、且つ、各平面同士の間が、曲面となった環状であることを特徴とする請求項４のパレット。
【請求項６】
前記複数の支持ブロック係止用窪みは、いずれも、上方に向かう底平面を有し、且つ、該底平面に、制限突起が、他のパレットが前記上面に載置されると、該ブロック係止用窪みと噛み合うようになる前記支持ブロックの環状開口に挿し込むことができるように凸設されていることを特徴とする請求項４に記載のパレット。